(57)【要約】【課題】外部スイッチの操作により入力電圧の供給が停止された場合に、マイコンの電源を確保しなくても、精度良く当該入力電圧の停電時間を検出し、外部スイッチの操作による停止時間に関する情報を当該マイコンに信号で伝達することが可能な制御装置を提供する。【解決手段】制御装置は、第１入力電源端子と第２入力電源端子との間の入力電圧を分圧した分圧信号に基づいて、入力電圧の低下を検出し、入力電圧と予め設定された第１閾値電圧とを比較した結果に基づいて、充放電制御用スイッチの動作を制御する電圧検出回路と、ＬＥＤランプの動作モードを記憶する不揮発性メモリを有し、入力電圧に基づいた制御電圧が供給されることで起動するとともに、選択した動作モードでＬＥＤランプの点灯を制御するマイコンと、入力電圧が第１閾値電圧以上、且つ、制御電圧が第２閾値電圧以上になったときに、時定数回路に充電されている充電電圧を検出し、この検出結果に応じた電圧検出信号をマイコンに出力する充電電圧監視回路と、を備える。【選択図】図１
2020004617.tif 000002
【特許請求の範囲】
【請求項１】
外部スイッチの操作に応じて電圧を供給してＬＥＤランプの点灯をさせ且つ前記ＬＥＤランプの調光を制御するための制御装置であって、
交流電源から出力された交流電圧を整流した入力電圧が供給される第１入力電源端子及び第２入力電源端子と、
前記ＬＥＤランプの一端が接続される第１出力電源端子と、
前記ＬＥＤランプの他端が接続される第２出力電源端子と、
前記第１入力電源端子と前記第２入力電源端子との間の入力電圧を分圧した分圧電圧に基づいた分圧信号を出力する分圧回路と、
予め設定された基準電圧が印加されている場合には、前記基準電圧に応じた電荷を充電し、一方、前記基準電圧が印加されていない場合には、充電された電荷を放電する時定数回路と、
オンすることで前記時定数回路へ前記基準電圧を印加し、一方、オフすることで前記時定数回路への前記基準電圧の印加を遮断するスイッチと、
前記分圧信号に基づいて、前記入力電圧の低下を検出し、前記入力電圧と予め設定された第１閾値電圧とを比較した結果に基づいて、前記スイッチの動作を制御する電圧検出回路と、
前記ＬＥＤランプの動作モードを記憶する不揮発性メモリを有し、前記入力電圧に基づいた制御電圧が供給されることで起動するとともに、選択した動作モードで前記ＬＥＤランプの点灯を制御するマイコンと、
前記制御電圧の低下を監視し、前記制御電圧と予め設定された第２閾値電圧とを比較した結果に基づいて、前記スイッチの動作を制御する制御電圧監視回路と、
前記入力電圧が前記第１閾値電圧以上、且つ、前記制御電圧が前記第２閾値電圧以上になったときに、前記時定数回路に充電されている充電電圧を検出し、この検出結果に応じた電圧検出信号を前記マイコンに出力する充電電圧監視回路と、を備える
ことを特徴とする制御装置。
【請求項２】
前記入力電圧が前記第１閾値電圧以上であり且つ前記制御電圧が前記第２閾値電圧以上の場合には、前記時定数回路へ前記基準電圧が印加されるように前記スイッチがオンに制御され、
一方、前記入力電圧が前記第１閾値電圧未満、又は、前記制御電圧が前記第２閾値電圧未満の場合には、前記時定数回路への前記基準電圧の印加が遮断されるように前記スイッチがオフに制御される
ことを特徴とする請求項１に記載の制御装置。
【請求項３】
前記マイコンは、
前記充電電圧監視回路が出力した前記電圧検出信号に基づいて、前記マイコンが停止、又は、前記入力電圧が外部スイッチにより遮断されてから、前記マイコンが起動、又は、前記入力電圧が外部スイッチのオンで供給されるまでの、停止時間を判断し、判断した前記停止時間に基づいて、前記ＬＥＤランプの動作モードを選択する
ことを特徴とする請求項２に記載の制御装置。
【請求項４】
前記マイコンは、
前記充電電圧監視回路が出力した前記電圧検出信号に基づいて、前記充電電圧ＶＣＲが予め設定された電圧範囲にあると判断した場合には、前回の停止時に前記不揮発性メモリに記憶していた動作モードと異なる動作モードを選択する
ことを特徴とする請求項３に記載の制御装置。
【請求項５】
前記マイコンは、
前記充電電圧監視回路が出力した前記電圧検出信号に基づいて、前記充電電圧ＶＣＲが予め設定された電圧範囲外にあると判断した場合には、前回の停止時に前記不揮発性メモリに記憶していた動作モードを継続して選択する
ことを特徴とする請求項４に記載の制御装置。
【請求項６】
前記スイッチは、前記制御電圧の供給が停止されている場合でもオフを維持することが可能である
ことを特徴とする請求項２に記載の制御装置。
【請求項７】
前記充電電圧監視回路は、
前記検出結果に基づいた前記電圧検出信号を前記マイコンが読み取るまで、又は、次に充電電圧監視回路が充電電圧を検出する動作直前まで、又は、前記マイコンが次に起動するタイミングの直前まで、前記電圧検出信号の出力を保持する
ことを特徴とする請求項２に記載の制御装置。  
【請求項８】
前記電圧検出回路は、
前記制御電圧が前記第２閾値電圧未満の場合は、前記入力電圧の値に拘わらず、前記スイッチをオフし前記入力電圧が前記第１閾値電圧未満である旨の信号を出力する
ことを特徴とする請求項２に記載の制御装置。
【請求項９】
前記充電電圧監視回路は、
前記スイッチがオンされる前に前記充電電圧を検出することを特徴とする請求項７に記載の制御装置。
【請求項１０】
前記時定数回路は、
前記充電電圧が出力される充電端子と、
一端が前記充電端子に接続され、他端が接地された抵抗と、
一端が前記充電端子に接続され、他端が接地されたコンデンサと、を備える
ことを特徴とする請求項９に記載の制御装置。
【請求項１１】
直流電源端子に前記基準電圧を出力する直流電源をさらに備え、
前記スイッチは、一端が前記充電端子に接続され、他端が前記直流電源端子に接続されている  
ことを特徴とする請求項１０に記載の制御装置。
【請求項１２】
ユーザーにより操作される前記外部スイッチがオンされると、前記第１入力電源端子と前記第２入力電源端子との間に、入力電圧が整流された電圧が供給されるようになっている
ことを特徴とする請求項１１に記載の制御装置。
【請求項１３】
前記電圧検出回路が、前記入力電圧が前記第１閾値電圧以上であることを検出して、前記充放電制御用スイッチをオンするための信号を出力し、且つ、前記制御電圧監視回路が、前記制御電圧が前記第２閾値電圧以上であることを検出して、前記充放電制御用スイッチをオンするための信号を出力している場合には、前記時定数回路へ前記基準電圧が印加されるように前記充放電制御用スイッチがオンし、
一方、前記電圧検出回路が、前記入力電圧が前記第１閾値電圧未満であることを検出して、前記充放電制御用スイッチをオフするための信号を出力し、又は、前記制御電圧監視回路が、前記制御電圧が前記第２閾値電圧未満であることを検出して、前記充放電制御用スイッチをオフするための信号を出力している場合には、前記時定数回路への前記基準電圧の印加が遮断されるように前記充放電制御用スイッチがオフする
ことを特徴とする請求項１に記載の制御装置。
【請求項１４】
外部スイッチの操作に応じて電圧を供給してＬＥＤランプの点灯をさせ且つ前記ＬＥＤランプの調光を制御するための制御装置であって、交流電源から出力された交流電圧を整流した入力電圧が供給される第１入力電源端子及び第２入力電源端子と、前記ＬＥＤランプの一端が接続される第１出力電源端子と、前記ＬＥＤランプの他端が接続される第２出力電源端子と、前記第１入力電源端子と前記第２入力電源端子との間の入力電圧を分圧した分圧電圧に基づいた分圧信号を出力する分圧回路と、予め設定された基準電圧が印加されている場合には、前記基準電圧に応じた電荷を充電し、一方、前記基準電圧が印加されていない場合には、充電された電荷を放電する時定数回路と、オンすることで前記時定数回路へ前記基準電圧を印加し、一方、オフすることで前記時定数回路への前記基準電圧の印加を遮断するスイッチと、前記分圧信号に基づいて、前記入力電圧の低下を検出し、前記入力電圧と予め設定された第１閾値電圧とを比較した結果に基づいて、前記スイッチの動作を制御する電圧検出回路と、前記ＬＥＤランプの動作モードを記憶する不揮発性メモリを有し、前記入力電圧に基づいた制御電圧が供給されることで起動するとともに、選択した動作モードで前記ＬＥＤランプの点灯を制御するマイコンと、前記制御電圧の低下を監視し、前記制御電圧と予め設定された第２閾値電圧とを比較した結果に基づいて、前記スイッチの動作を制御する制御電圧監視回路と、前記入力電圧が前記第１閾値電圧以上、且つ、前記制御電圧が前記第２閾値電圧以上になったときに、前記時定数回路に充電されている充電電圧を検出し、この検出結果に応じた電圧検出信号を前記マイコンに出力する充電電圧監視回路と、を備える制御装置の制御方法であって、
前記入力電圧が前記第１閾値電圧以上であり且つ前記制御電圧が前記第２閾値電圧以上の場合には、前記時定数回路へ前記基準電圧が印加されるように前記スイッチがオンに制御され、
一方、前記入力電圧が前記第１閾値電圧未満、又は、前記制御電圧が前記第２閾値電圧未満の場合には、前記時定数回路への前記基準電圧の印加が遮断されるように前記スイッチがオフに制御される
ことを特徴とする制御装置の制御方法。
【請求項１５】
外部スイッチの操作に応じて電圧を供給してＬＥＤランプの点灯をさせ且つ前記ＬＥＤランプの調光を制御する照明装置であって、
第１出力と第２出力から交流電圧を出力する交流電源と、
前記交流電源の前記第１出力に一端が接続された外部スイッチと、
第１入力が前記外部スイッチの他端に接続され、第２入力が前記交流電源の第２出力に接続され、前記第１入力及び第２入力を介して供給された交流電圧を整流して出力する整流回路と、
前記整流回路が出力した電圧を電源部で定電流化した電流が供給されて点灯するＬＥＤランプと、
前記外部スイッチの操作に応じて、前記整流回路が出力した電圧を電源部で定電流化した電流を供給してＬＥＤランプの点灯をさせ且つ前記ＬＥＤランプの調光を制御するための制御装置と、を備え、
前記制御装置は、
前記交流電源から出力された交流電圧を整流した前記入力電圧が供給される第１入力電源端子及び第２入力電源端子と、
前記ＬＥＤランプの一端が接続される第１出力電源端子と、
前記ＬＥＤランプの他端が接続される第２出力電源端子と、
前記第１入力電源端子と前記第２入力電源端子との間の入力電圧を分圧した分圧電圧に基づいた分圧信号を出力する分圧回路と、
予め設定された基準電圧が印加されている場合には、前記基準電圧に応じた電荷を充電し、一方、前記基準電圧が印加されていない場合には、充電された電荷を放電する時定数回路と、
オンすることで前記時定数回路へ前記基準電圧を印加し、一方、オフすることで前記時定数回路への前記基準電圧の印加を遮断するスイッチと、
前記分圧信号に基づいて、前記入力電圧の低下を検出し、前記入力電圧と予め設定された第１閾値電圧とを比較した結果に基づいて、前記スイッチの動作を制御する電圧検出回路と、
前記ＬＥＤランプの動作モードを記憶する不揮発性メモリを有し、前記入力電圧に基づいた制御電圧が供給されることで起動するとともに、選択した動作モードで前記ＬＥＤランプの点灯を制御するマイコンと、
前記制御電圧の低下を監視し、前記制御電圧と予め設定された第２閾値電圧とを比較した結果に基づいて、前記スイッチの動作を制御する制御電圧監視回路と、
前記入力電圧が前記第１閾値電圧以上、且つ、前記制御電圧が前記第２閾値電圧以上になったときに、前記時定数回路に充電されている充電電圧を検出し、この検出結果に応じた電圧検出信号を前記マイコンに出力する充電電圧監視回路と、を備える
ことを特徴とする照明装置。
【発明の詳細な説明】
【技術分野】
【０００１】
本発明は、制御装置、制御装置の制御方法、及び、照明装置に関する。
【背景技術】
【０００２】
従来、調光タイフ゜のＬＥＤ照明に関して壁スイッチのオン・オフで調光できる壁スイッチ調光機能を備えた照明装置が知られている（例えば、特許文献１ないし３参照）。
【０００３】
このような従来の照明装置は、リモコン等がすぐ見つからない時に壁スイッチでも調光することが可能となる。
【０００４】
当該壁スイッチ調光の機能は、壁スイッチをオフして1〜2秒以内にオンすることで照明機器の方で記憶している壁スイッチオフ直前の調光モードを一つ進めた調光モードに切り替える機能である。
【０００５】
つまり、照明機器側で全光→50%調光→30%調光→10%調光→常夜灯→消灯→全光→・・・・等、決めており、壁スイッチでオフ後1〜2秒以内にオンすると例えば上記のようにモードを一つ一つ切り換えていくというような機能を備える。
【０００６】
よって、照明機器及び電源は、1〜2秒以内の入力停電を検出しフラッシュメモリ等で記憶している調光モードを切り換えていくというものである。
【０００７】
通常、精度良く入力停電時間をカウントする為にはマイコン等を動作させつづけなくてはならず、入力停電している間も電源としてマイコンの制御電圧を供給し続けなくてはならない。
【０００８】
また、２コンバータ構成の電源では比較的マイコンの電源を保持しやすいが、１コンバータ構成の電源では大きな容量が出力側にしか無く、特に数秒マイコンの電源を供給し続けるのは難しい。
【０００９】
このように、上記従来技術では、外部スイッチの操作により入力電圧の供給が停止された場合に、マイコンの電源を確保しなくても、精度良く当該入力電圧の停電時間を検出し、外部スイッチの操作による停止時間に関する情報を当該マイコンに信号で伝達することができない問題があった。
【先行技術文献】
【特許文献】
【００１０】
【特許文献１】特開昭49−106154
【特許文献２】実願平4−115799
【特許文献３】特開平1−255195
【発明の概要】
【発明が解決しようとする課題】
【００１１】
そこで、本発明は、外部スイッチの操作により入力電圧の供給が停止された場合に、マイコンの電源を確保しなくても、精度良く当該入力電圧の停電時間を検出し、外部スイッチの操作による停止時間に関する情報を当該マイコンに信号で伝達することが可能な制御装置を提供することを目的とする。
【課題を解決するための手段】
【００１２】
本発明の一態様に係る制御装置は、
外部スイッチの操作に応じて電圧を供給してＬＥＤランプの点灯をさせ且つ前記ＬＥＤランプの調光を制御するための制御装置であって、
交流電源から出力された交流電圧を整流した入力電圧が供給される第１入力電源端子及び第２入力電源端子と、
前記ＬＥＤランプの一端が接続される第１出力電源端子と、
前記ＬＥＤランプの他端が接続される第２出力電源端子と、
前記第１入力電源端子と前記第２入力電源端子との間の入力電圧を分圧した分圧電圧に基づいた分圧信号を出力する分圧回路と、
予め設定された基準電圧が印加されている場合には、前記基準電圧に応じた電荷を充電し、一方、前記基準電圧が印加されていない場合には、充電された電荷を放電する時定数回路と、
オンすることで前記時定数回路へ前記基準電圧を印加し、一方、オフすることで前記時定数回路への前記基準電圧の印加を遮断するスイッチと、
前記分圧信号に基づいて、前記入力電圧の低下を検出し、前記入力電圧と予め設定された第１閾値電圧とを比較した結果に基づいて、前記スイッチの動作を制御する電圧検出回路と、
前記ＬＥＤランプの動作モードを記憶する不揮発性メモリを有し、前記入力電圧に基づいた制御電圧が供給されることで起動するとともに、選択した動作モードで前記ＬＥＤランプの点灯を制御するマイコンと、
前記制御電圧の低下を監視し、前記制御電圧と予め設定された第２閾値電圧とを比較した結果に基づいて、前記スイッチの動作を制御する制御電圧監視回路と、
前記入力電圧が前記第１閾値電圧以上、且つ、前記制御電圧が前記第２閾値電圧以上になったときに、前記時定数回路に充電されている充電電圧を検出し、この検出結果に応じた電圧検出信号を前記マイコンに出力する充電電圧監視回路と、を備える
ことを特徴とする。
【００１３】
前記制御装置において、
前記入力電圧が前記第１閾値電圧以上であり且つ前記制御電圧が前記第２閾値電圧以上の場合には、前記時定数回路へ前記基準電圧が印加されるように前記スイッチがオンに制御され、
一方、前記入力電圧が前記第１閾値電圧未満、又は、前記制御電圧が前記第２閾値電圧未満の場合には、前記時定数回路への前記基準電圧の印加が遮断されるように前記スイッチがオフに制御される
ことを特徴とする。
【００１４】
前記制御装置において、
前記マイコンは、
前記充電電圧監視回路が出力した前記電圧検出信号に基づいて、前記マイコンが停止、又は、前記入力電圧が外部スイッチにより遮断されてから、前記マイコンが起動、又は、前記入力電圧が外部スイッチのオンで供給されるまでの、停止時間を判断し、判断した前記停止時間に基づいて、前記ＬＥＤランプの動作モードを選択する
ことを特徴とする。
【００１５】
前記制御装置において、
前記マイコンは、
前記充電電圧監視回路が出力した前記電圧検出信号に基づいて、前記充電電圧ＶＣＲが予め設定された電圧範囲にあると判断した場合には、前回の停止時に前記不揮発性メモリに記憶していた動作モードと異なる動作モードを選択する
ことを特徴とする。
【００１６】
前記制御装置において、
前記マイコンは、
前記充電電圧監視回路が出力した前記電圧検出信号に基づいて、前記充電電圧ＶＣＲが予め設定された電圧範囲外にあると判断した場合には、前回の停止時に前記不揮発性メモリに記憶していた動作モードを継続して選択する
ことを特徴とする。
【００１７】
前記制御装置において、
前記スイッチは、前記制御電圧の供給が停止されている場合でもオフを維持することが可能である
ことを特徴とする。
【００１８】
前記制御装置において、
前記充電電圧監視回路は、
前記検出結果に基づいた前記電圧検出信号を前記マイコンが読み取るまで、又は、次に充電電圧監視回路が充電電圧ＶＣＲを検出する動作直前まで、又は、前記マイコンが次に起動するタイミングの直前まで、前記電圧検出信号の出力を保持する
ことを特徴とする。
【００１９】
前記制御装置において、
前記電圧検出回路は、
前記制御電圧が前記第２閾値電圧未満の場合は、前記入力電圧の値に拘わらず、前記スイッチをオフし前記入力電圧が前記第１閾値電圧未満である旨の信号を出力する
ことを特徴とする。
【００２０】
前記制御装置において、
前記充電電圧監視回路は、
前記スイッチがオンされる前に前記充電電圧を検出する
ことを特徴とする。
【００２１】
前記制御装置において、
前記時定数回路は、
前記充電電圧が出力される充電端子と、
一端が前記充電端子に接続され、他端が接地された抵抗と、
一端が前記充電端子に接続され、他端が接地されたコンデンサと、を備える
ことを特徴とする。
【００２２】
前記制御装置において、
直流電源端子に前記基準電圧を出力する直流電源をさらに備え、
前記スイッチは、一端が前記充電端子に接続され、他端が前記直流電源端子に接続されている  
ことを特徴とする。
【００２３】
前記制御装置において、
ユーザーにより操作される前記外部スイッチがオンされると、前記第１入力電源端子と前記第２入力電源端子との間に、入力電圧が整流された電圧が供給されるようになっている
ことを特徴とする。
【００２４】
前記制御装置において、
前記電圧検出回路が、前記入力電圧が前記第１閾値電圧以上であることを検出して、前記充放電制御用スイッチをオンするための信号を出力し、且つ、前記制御電圧監視回路が、前記制御電圧が前記第２閾値電圧以上であることを検出して、前記充放電制御用スイッチをオンするための信号を出力している場合には、前記時定数回路へ前記基準電圧が印加されるように前記充放電制御用スイッチがオンし、
一方、前記電圧検出回路が、前記入力電圧が前記第１閾値電圧未満であることを検出して、前記充放電制御用スイッチをオフするための信号を出力し、又は、前記制御電圧監視回路が、前記制御電圧が前記第２閾値電圧未満であることを検出して、前記充放電制御用スイッチをオフするための信号を出力している場合には、前記時定数回路への前記基準電圧の印加が遮断されるように前記充放電制御用スイッチがオフする
ことを特徴とする。
【００２５】
本発明の一態様に係る制御装置の制御方法は、
外部スイッチの操作に応じて電圧を供給してＬＥＤランプの点灯をさせ且つ前記ＬＥＤランプの調光を制御するための制御装置であって、交流電源から出力された交流電圧を整流した入力電圧が供給される第１入力電源端子及び第２入力電源端子と、前記ＬＥＤランプの一端が接続される第１出力電源端子と、前記ＬＥＤランプの他端が接続される第２出力電源端子と、前記第１入力電源端子と前記第２入力電源端子との間の入力電圧を分圧した分圧電圧に基づいた分圧信号を出力する分圧回路と、予め設定された基準電圧が印加されている場合には、前記基準電圧に応じた電荷を充電し、一方、前記基準電圧が印加されていない場合には、充電された電荷を放電する時定数回路と、オンすることで前記時定数回路へ前記基準電圧を印加し、一方、オフすることで前記時定数回路への前記基準電圧の印加を遮断するスイッチと、前記分圧信号に基づいて、前記入力電圧の低下を検出し、前記入力電圧と予め設定された第１閾値電圧とを比較した結果に基づいて、前記スイッチの動作を制御する電圧検出回路と、前記ＬＥＤランプの動作モードを記憶する不揮発性メモリを有し、前記入力電圧に基づいた制御電圧が供給されることで起動するとともに、選択した動作モードで前記ＬＥＤランプの点灯を制御するマイコンと、前記制御電圧の低下を監視し、前記制御電圧と予め設定された第２閾値電圧とを比較した結果に基づいて、前記スイッチの動作を制御する制御電圧監視回路と、前記入力電圧が前記第１閾値電圧以上、且つ、前記制御電圧が前記第２閾値電圧以上になったときに、前記時定数回路に充電されている充電電圧を検出し、この検出結果に応じた電圧検出信号を前記マイコンに出力する充電電圧監視回路と、を備える制御装置の制御方法であって、
前記入力電圧が前記第１閾値電圧以上であり且つ前記制御電圧が前記第２閾値電圧以上の場合には、前記時定数回路へ前記基準電圧が印加されるように前記スイッチがオンに制御され、
一方、前記入力電圧が前記第１閾値電圧未満、又は、前記制御電圧が前記第２閾値電圧未満の場合には、前記時定数回路への前記基準電圧の印加が遮断されるように前記スイッチがオフに制御される
ことを特徴とする。
【００２６】
本発明の一態様に係る照明装置は、
外部スイッチの操作に応じて電圧を供給してＬＥＤランプの点灯をさせ且つ前記ＬＥＤランプの調光を制御する照明装置であって、
第１出力と第２出力から交流電圧を出力する交流電源と、
前記交流電源の前記第１出力に一端が接続された外部スイッチと、
第１入力が前記外部スイッチの他端に接続され、第２入力が前記交流電源の第２出力に接続され、前記第１入力及び第２入力を介して供給された交流電圧を整流して出力する整流回路と、
前記整流回路が出力した電圧を電源部で定電流化した電流が供給されて点灯するＬＥＤランプと、
前記外部スイッチの操作に応じて、前記整流回路が出力した電圧を前記電源部で定電流化した電流を供給してＬＥＤランプの点灯をさせ且つ前記ＬＥＤランプの調光を制御するための制御装置と、を備え、
前記制御装置は、
前記交流電源から出力された交流電圧を整流した前記入力電圧が供給される第１入力電源端子及び第２入力電源端子と、
前記ＬＥＤランプの一端が接続される第１出力電源端子と、
前記ＬＥＤランプの他端が接続される第２出力電源端子と、
前記第１入力電源端子と前記第２入力電源端子との間の入力電圧を分圧した分圧電圧に基づいた分圧信号を出力する分圧回路と、
予め設定された基準電圧が印加されている場合には、前記基準電圧に応じた電荷を充電し、一方、前記基準電圧が印加されていない場合には、充電された電荷を放電する時定数回路と、
オンすることで前記時定数回路へ前記基準電圧を印加し、一方、オフすることで前記時定数回路への前記基準電圧の印加を遮断するスイッチと、
前記分圧信号に基づいて、前記入力電圧の低下を検出し、前記入力電圧と予め設定された第１閾値電圧とを比較した結果に基づいて、前記スイッチの動作を制御する電圧検出回路と、
前記ＬＥＤランプの動作モードを記憶する不揮発性メモリを有し、前記入力電圧に基づいた制御電圧が供給されることで起動するとともに、選択した動作モードで前記ＬＥＤランプの点灯を制御するマイコンと、
前記制御電圧の低下を監視し、前記制御電圧と予め設定された第２閾値電圧とを比較した結果に基づいて、前記スイッチの動作を制御する制御電圧監視回路と、
前記入力電圧が前記第１閾値電圧以上、且つ、前記制御電圧が前記第２閾値電圧以上になったときに、前記時定数回路に充電されている充電電圧を検出し、この検出結果に応じた電圧検出信号を前記マイコンに出力する充電電圧監視回路と、を備える
ことを特徴とする。
【発明の効果】
【００２７】
本発明の一態様に係る制御装置は、外部スイッチの操作に応じて電圧を供給してＬＥＤランプの点灯をさせるとともに調光するための制御装置であって、交流電源から出力された交流電圧を整流した入力電圧が供給される第１入力電源端子及び第２入力電源端子と、ＬＥＤランプの一端が接続される第１出力電源端子及びＬＥＤランプの他端が接続される第２出力電源端子と、第１入力電源端子と第２入力電源端子との間の入力電圧を分圧した分圧電圧に基づいた分圧信号を出力する分圧回路と、基準電圧が印加されている場合には、基準電圧に応じた電荷を充電し、一方、基準電圧が印加されていない場合には、充電された電荷を放電する時定数回路と、オンすることで時定数回路へ基準電圧を印加し、一方、オフすることで時定数回路への基準電圧の印加を遮断するスイッチと、分圧信号に基づいて、入力電圧の低下を検出し、入力電圧と予め設定された第１閾値電圧とを比較した結果に基づいて、スイッチの動作を制御する電圧検出回路と、ＬＥＤランプの動作モードを記憶する不揮発性メモリを有し、入力電圧に基づいた制御電圧が供給されることで起動するとともに、選択した動作モードでＬＥＤランプの点灯を制御するマイコンと、制御電圧の低下を監視し、制御電圧と予め設定された第２閾値電圧とを比較した結果に基づいて、スイッチの動作を制御する制御電圧監視回路と、入力電圧が第１閾値電圧以上、又は、制御電圧が第２閾値電圧以上になったときに、時定数回路に充電されている充電電圧を検出し、この検出結果に応じた電圧検出信号をマイコンに出力する充電電圧監視回路と、を備える。
【００２８】
これにより、本発明の制御装置によれば、外部スイッチの操作により入力電圧の供給が停止された場合に、マイコンの電源を確保しなくても、精度良く当該入力電圧の停電時間を検出し、外部スイッチの操作による停止時間に関する情報を当該マイコンに信号で伝達することができる。
【図面の簡単な説明】
【００２９】
【図１】図１は、本実施形態に係る制御装置ＣＮＴを含む照明装置１００のシステム構成の一例を示す図である。
【図２】図２は、図１に示す制御装置ＣＮＴの動作波形の一例を示す図である。
【発明を実施するための形態】
【００３０】
図１は、本実施形態に係る制御装置ＣＮＴを含む照明装置１００のシステム構成の一例を示す図である。また、図２は、図１に示す制御装置ＣＮＴの動作波形の一例を示す図である。
【００３１】
本実施形態に係る照明装置１００は、例えば、図１に示すように、交流電源ＡＣと、外部スイッチＱと、整流回路ＲＥＣと、ＬＥＤランプＸと、制御装置ＣＮＴと、を備える。
【００３２】
この照明装置１００は、ユーザーによる外部スイッチＱの操作に応じて電圧を供給してＬＥＤランプＸの点灯をさせ且つＬＥＤランプＸの調光を制御するようになっている。
【００３３】
そして、交流電源ＡＣは、例えば、図１に示すように、第１出力Ａ１と第２出力Ａ２から交流電圧を出力するようになっている。
【００３４】
また、外部スイッチＱは、例えば、照明装置１００が設置される室内の壁に配置され、ユーザーにより操作される壁スイッチである。
【００３５】
この外部スイッチＱは、一端が交流電源ＡＣの第１出力Ａ１に接続され、他端が整流回路ＲＥＣの第１入力Ｅ１に接続されている。
【００３６】
この外部スイッチＱは、オンすることにより、その一端と他端との間が導通し、一方、オフすることにより、その一端と他端との間が遮断されるようになっている。
【００３７】
例えば、ユーザーにより操作される外部スイッチＱがオンされると、整流回路ＲＥＣに交流電圧が印加され、整流回路ＲＥＣがこの交流電圧を整流して入力電圧ＶＩＮを出力し、第１入力電源端子ＴＩＮと第２入力電源端子ＴＩＮ２との間に、整流回路ＲＥＣが出力した入力電圧ＶＩＮが供給されるようになっている。
【００３８】
一方、ユーザーにより操作される外部スイッチＱがオフされると、整流回路ＲＥＣへの交流電圧が遮断され、第１入力電源端子ＴＩＮと第２入力電源端子ＴＩＮ２との間への入力電圧ＶＩＮの供給が停止するようになっている。
【００３９】
また、整流回路ＲＥＣは、第１入力Ｅ１が外部スイッチＱの他端に接続され、第２入力Ｅ２が交流電源ＡＣの第２出力Ａ２に接続されている。
【００４０】
この整流回路ＲＥＣは、第１入力Ｅ１及び第２入力Ｅ２を介して供給された交流電圧を整流した入力電圧ＶＩＮを、第１出力Ｅ３及び第２出力Ｅ４を介して、第１入力電源端子ＴＩＮ１と第２入力電源端子ＴＩＮ２との間に出力するようになっている。
【００４１】
また、ＬＥＤランプＸは、一端（アノード側）が第１出力電源端子ＴＯＵＴ１に接続され、他端（カソード側）が第２出力電源端子ＴＯＵＴ２に接続されている。
【００４２】
このＬＥＤランプＸは、制御装置ＣＮＴにより点灯が制御され、制御装置ＣＮＴにより選択された動作モードで、整流回路ＲＥＣが出力した電圧（入力電圧ＶＩＮ）を電源部Ｊで定電流化した電流が供給されて点灯するようになっている。マイコンＭは、ＬＥＤランプＸの点灯、消灯、調光等の制御を電源部に対して行う。図１は、マイコンＭが電源部Ｊをデジタル制御するような構成としているが、マイコンＭと電源部Ｊの間にアナログの制御回路がある場合も含まれる。
【００４３】
なお、図１の例では、ＬＥＤランプＸは、直列に接続された複数のＬＥＤ素子で構成されているが、１つ、若しくは、並列に接続された複数のＬＥＤ素子で構成されていてもよい。
【００４４】
また、制御装置ＣＮＴは、外部スイッチ（壁スイッチ）Ｑの操作に応じて、整流回路ＲＥＣが出力した電圧（入力電圧ＶＩＮ）を電源部で定電流化した電流を供給してＬＥＤランプの点灯をさせるとともに、既述の動作モードをＬＥＤランプＸの調光を制御するようになっている。
【００４５】
なお、この制御装置ＣＮＴは、図示しない外部のリモートコントローラのユーザーによる操作によっても、整流回路ＲＥＣが出力した電圧（入力電圧ＶＩＮ）を電源部で定電流化した電流を供給してＬＥＤランプの点灯をさせるとともに、既述の動作モードをＬＥＤランプＸの調光を制御するようになっている。
【００４６】
ここで、この制御装置ＣＮＴは、例えば、図１に示すように、第１入力電源端子ＴＩＮ１と、第２入力電源端子ＴＩＮ２と、第１出力電源端子ＴＯＵＴ１と、第２出力電源端子ＴＯＵＴ２と、分圧回路ＲＸと、時定数回路ＣＲと、充放電制御用スイッチＳＷと、電圧検出回路Ｈと、マイコンＭと、制御電圧監視回路ＵＶＬＯと、充電電圧監視回路Ｚと、直流電源Ｂと、電源部Ｊと、を備える。
【００４７】
そして、第１入力電源端子ＴＩＮ１は、整流回路ＲＥＣの第１出力Ｅ３に接続されている。
【００４８】
また、第２入力電源端子ＴＩＮ２は、整流回路ＲＥＣの第２出力Ｅ４に接続されている。
【００４９】
これらの第１入力電源端子ＴＩＮ１及び第２入力電源端子ＴＩＮ２は、交流電源ＡＣから出力された交流電圧を整流した入力電圧ＶＩＮが供給されるようになっている。
【００５０】
なお、第１入力電源端子ＴＩＮ１と第２入力電源端子ＴＩＮ２との間には、必要に応じて、入力電圧ＶＩＮの平滑化のためのコンデンサ（図示せず）等の素子や回路が接続される。なお、以下では、入力電圧ＶＩＮの値は、平滑化された値である場合も含む。
【００５１】
電源部Ｊは、第１、第２入力電源端子ＴＩＮ１、ＴＩＮ２と第１、第２出力電源端子ＴＯＵＴ１、ＴＯＵＴ２との間に接続されている。この電源部Ｊは、マイコンＭにより制御されるようになっている。
【００５２】
また、第１出力電源端子ＴＯＵＴ１は、ＬＥＤランプＸの一端が接続されている。この第１出力電源端子ＴＯＵＴ１は、電源部Ｊを介して第１入力電源端子ＴＩＮ１に電気的に接続されている。
【００５３】
また、第２出力電源端子ＴＯＵＴ２は、電源部Ｊを介してＬＥＤランプＸの他端が接続されている。この第２出力電源端子ＴＯＵＴ２は、第２入力電源端子ＴＩＮ２に電気的に接続されている。
【００５４】
なお、第１出力電源端子ＴＯＵＴ１と第２出力電源端子ＴＯＵＴ２との間には、必要に応じて、平滑化のためのコンデンサ（図示せず）等の素子や回路が接続される。
【００５５】
また、分圧回路ＲＸは、第１入力電源端子ＴＩＮ１と第２入力電源端子ＴＩＮ２との間の入力電圧ＶＩＮを分圧した分圧電圧に基づいた分圧信号ＶＲＸを出力するようになっている。
【００５６】
この分圧回路ＲＸは、例えば、図１に示すように、第１の分圧抵抗ＲＸ１と、第２の分圧抵抗ＲＸ２と、を備える。
【００５７】
第１の分圧抵抗ＲＸ１は、一端が第１出力電源端子ＴＯＵＴ１に接続され、他端が分圧信号ＶＲＸを出力する端子に接続されている。
【００５８】
第２の分圧抵抗ＲＸ２は、一端が分圧信号ＶＲＸを出力する端子に接続され、他端が第２出力電源端子ＴＯＵＴ２に接続されている。
【００５９】
また、直流電源Ｂは、直流電源端子ＴＶＤに基準電圧ＶＤを出力するようになっている。
【００６０】
直流電源Ｂは入力電圧ＶＩＮに基づいた制御電圧ＶＣＣから生成されている電源であるが、直流電源Ｂが使用されるのはＳＷがオンしている時、すなわち入力電圧が第１閾値電圧以上であり且つ制御電圧が第２閾値電圧以上の場合のみであるため、使用時には基準電圧ＶＤを出力することができるようになっている。
【００６１】
また、時定数回路ＣＲは、予め設定された基準電圧ＶＤが印加されている場合には、基準電圧ＶＤに応じた電荷を充電し、一方、基準電圧ＶＤが印加されていない場合には、充電された電荷を放電するようになっている。
【００６２】
この時定数回路ＣＲは、例えば、図１に示すように、充電端子ＴＣＲと、放電抵抗Ｒと、コンデンサＣと、を備える。
【００６３】
そして、充電端子ＴＣＲは、充電電圧ＶＣＲが出力されるようになっている。そして、この充電端子ＴＣＲは、充放電制御用スイッチＳＷがオンしているときは、基準電圧ＶＤが印加されるようになっている。
【００６４】
また、コンデンサＣは、一端が充電端子ＴＣＲに接続され、他端が接地されている。このコンデンサＣに基準電圧ＶＤが印加されて、充電されるようになっている。
【００６５】
また、放電抵抗Ｒは、一端が充電端子ＴＣＲに接続され、他端が接地されている。なお、後述のように、充放電制御用スイッチＳＷがオフされた場合には、この放電抵抗Ｒにより、コンデンサＣの電荷が放電されることとなる。
【００６６】
また、充放電制御用スイッチＳＷは、例えば、図１に示すように、一端が充電端子ＴＣＲに接続され、他端が直流電源端子ＴＶＤに接続されている。
【００６７】
この充放電制御用スイッチＳＷは、オンすることにより、その一端と他端との間が導通し、一方、オフすることにより、その一端と他端との間が遮断されるようになっている。
【００６８】
すなわち、充放電制御用スイッチＳＷは、オンすることで時定数回路ＣＲへ基準電圧ＶＤを印加し、一方、オフすることで時定数回路ＣＲへの基準電圧ＶＤの印加を遮断するようになっている。
【００６９】
この充放電制御用スイッチＳＷは、入力電圧ＶＩＮが予め設定された第１閾値電圧以上であり且つ制御電圧ＶＣＣが予め設定された第２閾値電圧以上の場合には、時定数回路ＣＲへ基準電圧ＶＤが印加されるようにオンに制御されるようになっている。
【００７０】
一方、この充放電制御用スイッチＳＷは、入力電圧ＶＩＮが該第１閾値電圧未満、又は、制御電圧ＶＣＣが該第２閾値電圧未満の場合には、時定数回路ＣＲへの基準電圧ＶＤの印加が遮断されるようにオフに制御されるようになっている。
【００７１】
なお、この充放電制御用スイッチＳＷは、制御電圧ＶＣＣ（入力電圧ＶＩＮ）の供給が停止されている場合でも、オフを維持することが可能になっている。
【００７２】
すなわち、本実施例では、制御電圧ＶＣＣ（入力電圧ＶＩＮ）の供給が停止されている場合は、充放電制御用スイッチＳＷはオフになっている。
【００７３】
これにより、制御電圧ＶＣＣ（入力電圧ＶＩＮ）の供給が停止されている場合は、時定数回路ＣＲに基準電圧ＶＤが供給されず、充電されないようになっている。
【００７４】
また、電圧検出回路Ｈは、分圧回路ＲＸが出力した分圧信号ＶＲＸに基づいて、入力電圧ＶＩＮの低下を検出するようになっている。
【００７５】
そして、この電圧検出回路Ｈは、検出した入力電圧ＶＩＮと予め設定された第１閾値電圧とを比較した結果に基づいて、充放電制御用スイッチＳＷの動作を制御するようになっている。なお、該第１閾値電圧と比較される検出した入力電圧ＶＩＮは、例えば、入力電圧ＶＩＮを平滑化した値やピーク値等である。又、交流電圧を平滑化した脈流の実効値（平均値）相当を検出する為にタイマ回路を使用した検出回路である場合も含んでいる。
【００７６】
なお、この電圧検出回路Ｈは、例えば、制御電圧ＶＣＣが既述の第２閾値電圧未満の場合（制御電圧監視回路ＵＶＬＯが“Ｌｏｗ”レベルを出力する場合（図２））は、入力電圧ＶＩＮの値に拘わらず、充放電制御用スイッチＳＷをオフし入力電圧ＶＩＮが既述の第１閾値電圧未満である旨の信号（“Ｌｏｗ”レベル（図２））を出力するようになっている。
【００７７】
また、制御電圧監視回路ＵＶＬＯは、入力電圧ＶＩＮに基づいた制御電圧ＶＣＣの低下を監視するようになっている。
【００７８】
そして、この制御電圧監視回路ＵＶＬＯは、制御電圧ＶＣＣと予め設定された第２閾値電圧とを比較した結果に基づいて、充放電制御用スイッチＳＷの動作を制御するようになっている。
【００７９】
例えば、この制御電圧監視回路ＵＶＬＯは、制御電圧ＶＣＣが該第２閾値電圧以上であることを検出すると、充放電制御用スイッチＳＷをオンするための信号Ｓ１（“Ｈｉｇｈ”レベル）を出力するようになっている。
【００８０】
一方、この制御電圧監視回路ＵＶＬＯは、制御電圧ＶＣＣが該第２閾値電圧未満であることを検出すると、充放電制御用スイッチＳＷをオフするための信号Ｓ１（“Ｌｏｗ”レベル）を出力するようになっている。
【００８１】
また、充電電圧監視回路Ｚは、時定数回路ＣＲに充電されている充電電圧ＶＣＲを監視するようになっている。
【００８２】
そして、この充電電圧監視回路Ｚは、入力電圧ＶＩＮが第１閾値電圧以上、且つ、制御電圧ＶＣＣが該第２閾値電圧以上になったときに、時定数回路ＣＲに充電されている充電電圧ＶＣＲを検出するようになっている。
【００８３】
そして、この充電電圧監視回路Ｚは、この検出結果に応じた電圧検出信号ＳＺをマイコンＭに出力するようになっている。
【００８４】
特に、充電電圧監視回路Ｚは、充放電制御用スイッチＳＷがオンされる前に（すなわち、充放電制御用スイッチＳＷがオフした後、時定数回路ＣＲが基準電圧ＶＤで再度充電される直前に）、充電電圧ＶＣＲを検出するようになっている。
【００８５】
なお、この充電電圧監視回路Ｚは、既述の検出結果に基づいた電圧検出信号ＳＺをマイコンＭが読み取るまで、又は、次に充電電圧監視回路Ｚが充電電圧ＶＣＲを検出する動作直前まで、又は、マイコンＭが次に起動（再起動）するタイミングの直前まで、電圧検出信号ＳＺの出力を保持するようになっている。
【００８６】
なお、この充電電圧監視回路Ｚは、電圧検出信号ＳＺをマイコンＭが読み取った旨や再起動の情報等をマイコンＭから取得するようになっている。
【００８７】
ここで、例えば、電圧検出回路Ｈが、入力電圧ＶＩＮが該第１閾値電圧以上であることを検出して、充放電制御用スイッチＳＷをオンするための信号ＳＨ１を出力し、且つ、制御電圧監視回路ＵＶＬＯが、制御電圧ＶＣＣが該第２閾値電圧以上であることを検出して、充放電制御用スイッチＳＷをオンするための信号ＳＨ１を出力している場合には、時定数回路ＣＲへ基準電圧ＶＤが印加されるように充放電制御用スイッチＳＷがオンするようになっている。
【００８８】
すなわち、入力電圧が該第１閾値電圧以上であり且つ制御電圧ＶＣＣが該第２閾値電圧以上の場合には、時定数回路ＣＲへ基準電圧ＶＤが印加されるように充放電制御用スイッチＳＷがオンに制御される。
【００８９】
一方、電圧検出回路Ｈが、入力電圧ＶＩＮが該第１閾値電圧未満であることを検出して、充放電制御用スイッチＳＷをオフするための信号ＳＨ１を出力し、又は、制御電圧監視回路ＵＶＬＯが、制御電圧ＶＣＣが該第２閾値電圧未満であることを検出して、充放電制御用スイッチＳＷをオフするための信号Ｓ１を出力している場合には、時定数回路ＣＲへの基準電圧ＶＤの印加が遮断されるように充放電制御用スイッチＳＷがオフするようになっている。
【００９０】
すなわち、入力電圧が該第１閾値電圧未満、又は、制御電圧ＶＣＣが該第２閾値電圧未満の場合には、時定数回路ＣＲへの基準電圧ＶＤの印加が遮断されるように充放電制御用スイッチＳＷがオフに制御される。
【００９１】
また、マイコンＭは、ＬＥＤランプＸの調光等に関する動作モードを記憶する不揮発性メモリ（図示せず）を有する。
【００９２】
このマイコンＭは、入力電圧ＶＩＮに基づいた制御電圧ＶＣＣが供給されることで起動するようになっている。そして、マイコンＭは、該不揮発性メモリに記憶された動作モードから、選択した動作モードでＬＥＤランプＸの点灯を制御するようになっている。
【００９３】
また、マイコンＭは、充電電圧監視回路Ｚが出力した電圧検出信号ＳＺに基づいて、マイコンＭが停止、又は、入力電圧ＶＩＮが外部スイッチＱにより遮断されてから、当該マイコンＭが起動、又は、入力電圧ＩＮが外部スイッチＱのオンで供給されるまでの、停止時間を判断するようになっている。
【００９４】
そして、マイコンＭは、判断した当該停止時間に基づいて、ＬＥＤランプＸの動作モードを選択するようになっている。
【００９５】
特に、マイコンＭは、充電電圧監視回路Ｚが出力した電圧検出信号ＳＺに基づいて、充電電圧ＶＣＲが予め設定された電圧範囲にあると判断した場合には、前回の停止時に不揮発性メモリに記憶していた動作モードと異なる動作モードを選択する（動作モードを切り換える）ようになっている。
【００９６】
また、マイコンＭは、充電電圧監視回路Ｚが出力した電圧検出信号ＳＺに基づいて、充電電圧ＶＣＲが予め設定された電圧範囲外にあると判断した場合には、前回の停止時に不揮発性メモリに記憶していた動作モードを継続して選択するようになっている。
【００９７】
次に、以上のような構成を有する制御装置ＣＮＴの制御方法の一例について、図面を参照しつつ説明する。
【００９８】
例えば、図２に示すように、ユーザーにより操作される外部スイッチＱがオフされると、整流回路ＲＥＣへの交流電圧が遮断され、第１入力電源端子ＴＩＮ１と第２入力電源端子ＴＩＮ２との間への入力電圧ＶＩＮの供給が停止する（時刻ｔ１）。
【００９９】
これにより、入力電圧ＶＩＮに基づいた制御電圧ＶＣＣが低下し始める。
【０１００】
そして、電圧検出回路Ｈが、入力電圧ＶＩＮが該第１閾値電圧未満であることを検出して、充放電制御用スイッチＳＷをオフするための信号ＳＨ１（“Ｌｏｗ”レベル）を出力する。
【０１０１】
これにより、時定数回路ＣＲへの基準電圧ＶＤの印加が遮断されるように充放電制御用スイッチＳＷがオフする。
【０１０２】
これにより、時定数回路ＣＲは、基準電圧ＶＤが印加されなくなり、充電された電荷の放電を開始し、充電電圧ＶＣＲが低下することとなる。
【０１０３】
その後、時刻ｔ２において、制御電圧監視回路ＵＶＬＯが、制御電圧ＶＣＣが該第２閾値電圧未満であることを検出して、充放電制御用スイッチＳＷをオフするための信号Ｓ１（“Ｌｏｗ”レベル）を出力する（時刻ｔ２）。
【０１０４】
その後、ユーザーにより操作される外部スイッチＱがオンされると、整流回路ＲＥＣに交流電圧が印加され、整流回路ＲＥＣがこの交流電圧を整流して入力電圧ＶＩＮを出力し、第１入力電源端子ＴＩＮと第２入力電源端子ＴＩＮ２との間に、整流回路ＲＥＣが出力した入力電圧ＶＩＮが供給される（時刻ｔ３）。
【０１０５】
その後、時刻ｔ４において、電圧検出回路Ｈが、入力電圧ＶＩＮが該第１閾値電圧以上であることを検出して、充放電制御用スイッチＳＷをオンするための信号ＳＨ１（“Ｈｉｇｈ”レベル）を出力し、且つ、制御電圧監視回路ＵＶＬＯが、制御電圧ＶＣＣが該第２閾値電圧以上であることを検出して、充放電制御用スイッチＳＷをオンするための信号Ｓ１（“Ｈｉｇｈ”レベル）を出力し、時定数回路ＣＲへ基準電圧ＶＤが印加されるように充放電制御用スイッチＳＷがオンする（時刻ｔ４）。
【０１０６】
すなわち、入力電圧ＶＩＮが該第１閾値電圧以上であり且つ制御電圧ＶＣＣが該第２閾値電圧以上であるので、時定数回路ＣＲへ基準電圧ＶＤが印加されるように充放電制御用スイッチＳＷがオンに制御される。
【０１０７】
これにより、基準電圧ＶＤにより時定数回路ＣＲが再度充電される状態になる。
【０１０８】
ここで、既述のように、充電電圧監視回路Ｚは、上記信号Ｓ１、ＳＨに基づいて（すなわち、入力電圧ＶＩＮが第１閾値電圧以上、且つ、制御電圧ＶＣＣが該第２閾値電圧以上になったときに）、時定数回路ＣＲに充電されている充電電圧ＶＣＲを検出する。
【０１０９】
そして、この充電電圧監視回路Ｚは、この検出結果に応じた電圧検出信号ＳＺ（“Ｈｉｇｈ”レベル）をマイコンＭに出力する。
【０１１０】
特に、充電電圧監視回路Ｚは、充放電制御用スイッチＳＷがオンされる前に（すなわち、充放電制御用スイッチＳＷがオフした後、時定数回路ＣＲが基準電圧ＶＤで再度充電される直前に）、充電電圧ＶＣＲを検出する。実際には、Ｓ１（“Ｈｉｇｈ”レベル）、ＳＨ２（”Ｈｉｇｈ“レベル）になる瞬間に充電開始回路Ｚが充電電圧ＶＣＲを検出した後、充放電制御用スイッチＳＷはオンする様になっている。
【０１１１】
そして、図２の例では、充電電圧監視回路Ｚは、既述の検出結果に基づいた電圧検出信号ＳＺをマイコンＭが読み取るまで、電圧検出信号ＳＺの出力（“Ｈｉｇｈ”レベル）を保持する。
【０１１２】
ここで、既述のように、マイコンＭは、充電電圧監視回路Ｚが出力した電圧検出信号ＳＺ（充電電圧ＶＣＲの値）に基づいて、入力電圧ＶＩＮが外部スイッチＱにより遮断されてから、入力電圧ＩＮが外部スイッチＱのオンで供給されるまでの、停止時間を判断する。すなわち、この場合、当該停止時間は、時定数回路ＣＲの放電時間に対応する。
【０１１３】
そして、マイコンＭは、判断した当該停止時間に基づいて、ＬＥＤランプＸの動作モードを選択する。
【０１１４】
特に、マイコンＭは、充電電圧監視回路Ｚが出力した電圧検出信号ＳＺに基づいて、充電電圧ＶＣＲが予め設定された電圧範囲にあると判断した場合には、前回の停止時に不揮発性メモリに記憶していた動作モードと異なる動作モードを選択する（動作モードを切り換える）。
【０１１５】
また、マイコンＭは、充電電圧監視回路Ｚが出力した電圧検出信号ＳＺに基づいて、充電電圧ＶＣＲが予め設定された電圧範囲外にあると判断した場合には、前回の停止時に不揮発性メモリに記憶していた動作モードを継続して選択する。
【０１１６】
このように、外部スイッチＱの操作により入力電圧ＶＩＮの供給が停止された場合に、マイコンＭの電源を確保しなくても（所定の制御電圧ＶＣＣがマイコンＭに供給されていなくても）、精度良く当該入力電圧ＶＩＮの供給が停止している停電時間を検出し、外部スイッチＱの操作による当該停止時間に関する情報をマイコンＭに信号で伝達することができる。
【０１１７】
以上のように、本発明の一態様に係る制御装置は、外部スイッチ（壁スイッチ）Ｑの操作に応じて電圧を供給してＬＥＤランプＸの点灯をさせるとともに調光するための制御装置であって、交流電源ＡＣから出力された交流電圧を整流した入力電圧ＶＩＮが供給される第１入力電源端子ＴＩＮ１及び第２入力電源端子ＴＩＮ２と、ＬＥＤランプＸの一端が接続される第１出力電源端子ＴＯＵＴ１及びＬＥＤランプＸの他端が接続される第２出力電源端子ＴＯＵＴ２と、第１入力電源端子ＴＩＮ１と第２入力電源端子ＴＩＮ２との間の入力電圧ＶＩＮを分圧した分圧電圧に基づいた分圧信号を出力する分圧回路ＲＸと、基準電圧が印加されている場合には、基準電圧に応じた電荷を充電し、一方、基準電圧が印加されていない場合には、充電された電荷を放電する時定数回路ＣＲと、オンすることで時定数回路ＣＲへ基準電圧を印加し、一方、オフすることで時定数回路ＣＲへの基準電圧の印加を遮断する充放電制御用スイッチＳＷと、分圧信号に基づいて、入力電圧の低下を検出し、入力電圧と予め設定された第１閾値電圧とを比較した結果に基づいて、充放電制御用スイッチＳＷの動作を制御する電圧検出回路Ｈと、ＬＥＤランプＸの動作モードを記憶する不揮発性メモリを有し、入力電圧に基づいた制御電圧が供給されることで起動するとともに、選択した動作モードでＬＥＤランプの点灯を制御するマイコンＭと、制御電圧の低下を監視し、制御電圧と予め設定された第２閾値電圧とを比較した結果に基づいて、充放電制御用スイッチＳＷの動作を制御する制御電圧監視回路ＵＶＬＯと、入力電圧が第１閾値電圧以上、又は、制御電圧が第２閾値電圧以上になったときに、時定数回路に充電されている充電電圧を検出し、この検出結果に応じた電圧検出信号をマイコンに出力する充電電圧監視回路Ｚと、を備える。
【０１１８】
これにより、本発明の制御装置によれば、外部スイッチの操作により入力電圧の供給が停止された場合に、マイコンの電源を確保しなくても、精度良く当該入力電圧の停電時間を検出し、外部スイッチの操作による停止時間に関する情報を当該マイコンに信号で伝達することができる。
【０１１９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２０】
１００  照明装置
ＡＣ  交流電源
Ｑ  外部スイッチ
ＲＥＣ  整流回路
Ｘ  ＬＥＤランプ
ＣＮＴ  制御装置
ＴＩＮ１  第１入力電源端子
ＴＩＮ２  第２入力電源端子
ＴＯＵＴ１  第１出力電源端子
ＴＯＵＴ２  第２出力電源端子
ＲＸ  分圧回路
ＣＲ  時定数回路
ＳＷ  スイッチ
Ｈ  電圧検出回路
Ｍ  マイコン
ＵＶＬＯ  制御電圧監視回路
Ｚ  充電電圧監視回路
Ｂ  直流電源
Ｊ  電源部
ＲＸ１  第１の分圧抵抗
ＲＸ２  第２の分圧抵抗
ＴＣＲ  充電端子
Ｒ  放電抵抗
Ｃ  コンデンサ
【図１】
2020004617.tif 000003
【図２】
2020004617.tif 000004